(57)【要約】【課題】シンバル用ミュート部材を、音量や音色やサスティーンが調整可能で、かつ、シンバルの形状やサイズによらず容易に着脱可能とする。【解決手段】シンバル用ミュート部材１００は、磁性体により構成された第一磁性部を有する第一ミュート部材１と、磁性体により構成された第二磁性部を有する第二ミュート部材２と、を備え、前記第一磁性部と前記第二磁性部のうち、少なくとも一方は磁石であり、前記第一ミュート部材１と前記第二ミュート部材２とは、シンバルの厚み方向の両側に配置される。【選択図】図１
2018146737.tif 000002
【特許請求の範囲】
【請求項１】
磁性体により構成された第一磁性部を有する第一ミュート部材と、
磁性体により構成された第二磁性部を有する第二ミュート部材と、を備え、
前記第一磁性部と前記第二磁性部のうち少なくとも一方は磁石であり、
前記第一ミュート部材と前記第二ミュート部材とは、シンバルの厚み方向の両側に配置される、
シンバル用ミュート部材。
【請求項２】
前記第一ミュート部材と前記第二ミュート部材のうち少なくとも一方は、着脱自在な取手をさらに備える、
請求項１に記載のシンバル用ミュート部材。
【請求項３】
前記第一ミュート部材と前記第二ミュート部材のうち少なくとも一方と、シンバル支持部材とを接続する支持部材をさらに備える、
請求項１または請求項２に記載のシンバル用ミュート部材。
【請求項４】
前記第一ミュート部材と前記第二ミュート部材のうち少なくとも一方は、前記第一ミュート部材と前記第二ミュート部材とが磁力により結合する面に緩衝部材をさらに備える、
請求項１から請求項３のいずれか一項に記載のシンバル用ミュート部材。
【発明の詳細な説明】
【技術分野】
【０００１】
本発明は、シンバルの打撃音を低減させるシンバル用ミュート部材に関する。
【背景技術】
【０００２】
シンバルは音量や音色やサスティーンの調整を行うことが難しい。シンバルにはチューニング機能がないため、スティックなどの打撃体で打撃する場所や打撃する力を変化させることで、音量や音色やサスティーンをある程度は調整することはできる。しかし、その調整範囲には限界がある。そこで、シンバル用ミュート部材を用いて、音量や音色やサスティーンの調整が行われる。
【０００３】
従来、シンバルの打撃音を消音するミュート部材やミュート方法が知られている。シンバルを布状の部材で覆うミュート部材や、樹脂やスポンジなどで形成された部材をシンバルに取り付けるミュート方法が知られている。しかしながら、こういったミュート部材やミュート方法は、消音効果は高いものの、必要以上に音量を低下させてしまい、また、シンバルの音色やサスティーンを大きく変化させてしまう。そのため、シンバルの音量や音色やサスティーンを適度に調整可能なミュート部材が求められている。
【０００４】
さらに演奏する曲ごとに、シンバルの音量や音色やサスティーンの調整を行いたい場合がある。演奏する曲と曲の合間にこれらの調整を行うためには、シンバル用ミュート部材はシンバルに容易に着脱可能である必要がある。
【０００５】
すなわち、シンバル用ミュート部材は、音量や音色やサスティーンが調整可能で、かつ、シンバルに容易に着脱可能であることが求められている。
【０００６】
特許文献１には、弱音の程度を調整可能なシンバル用弱音装置が記載されている。シンバル用弱音装置は、弾性素材で形成されており、シンバルのエッジ部やボウ部に簡単に着脱でき、消音装置の長さを調節することで消音の程度を調整することができる。
【先行技術文献】
【特許文献】
【０００７】
【特許文献１】特開２０１６−１３３７２０号公報
【発明の概要】
【発明が解決しようとする課題】
【０００８】
しかしながら、特許文献１に記載のシンバル用弱音装置では、その機構の一部がシンバルの形状やサイズに依存する構成となっており、どのようなシンバルにも容易に着脱できるものではなかった。
【０００９】
本発明は、上記の事情に鑑みなされたもので、音量や音色やサスティーンが調整可能で、かつ、シンバルの形状やサイズによらず容易に着脱可能な、シンバル用ミュート部材を提供することを目的とする。
【課題を解決するための手段】
【００１０】
上記課題を解決するために、この発明は以下の手段を提案している。
シンバル用ミュート部材は、磁性体により構成された第一磁性部を有する第一ミュート部材と、磁性体により構成された第二磁性部を有する第二ミュート部材と、を備え、前記第一磁性部と前記第二磁性部のうち、少なくとも一方は磁石であり、前記第一ミュート部材と前記第二ミュート部材とは、シンバルの厚み方向の両側に配置される。
【発明の効果】
【００１１】
本発明によれば、音量や音色やサスティーンが調整可能で、かつ、シンバルの形状やサイズによらず容易に着脱可能な、シンバル用ミュート部材を提供することができる。
【図面の簡単な説明】
【００１２】
【図１】本発明の第一実施形態に係るシンバル用ミュート部材の正面図である。
【図２】同シンバル用ミュート部材の平面図である。
【図３】同シンバル用ミュート部材の底面図である。
【図４】同シンバル用ミュート部材の側面図である。
【図５】同シンバル用ミュート部材の構成要素のうち着脱可能なものを分離させた構成を示す図である。
【図６】シンバルに装着した同シンバル用ミュート部材の構成を示している。
【図７】シンバルに装着した同シンバル用ミュート部材の斜視図である。
【図８】シンバルに装着した同シンバル用ミュート部材の斜視図である。
【図９】同シンバル用ミュート部材の変形例を示す図である。
【図１０】同シンバル用ミュート部材の支持部材の変形例を示す図である。
【図１１】同シンバル用ミュート部材および支持部材の変形例を示す図である。
【図１２】本発明の第二実施形態に係るシンバル用ミュート部材の全体構成図である。
【発明を実施するための形態】
【００１３】
（第一実施形態）
以下、本発明に係るシンバル用ミュート部材の第一実施形態を、図１から図１０を参照しながら説明する。なお、図面を見やすくするため、各構成要素の厚さや寸法の比率は適宜調整されている。
図１は、本実施形態に係るシンバル用ミュート部材（以下、「ミュート部材」と称す）１００の正面図である。図２は、ミュート部材１００の平面図である。図３は、ミュート部材１００の底面図である。図４は、ミュート部材１００の側面図である。
図５は、ミュート部材１００の構成要素のうち着脱可能なものを分離させた構成を示す図である。
【００１４】
図１から図４に示すように、ミュート部材１００は、第一ミュート部材１と、第二ミュート部材２と、支持部材３と、を備えている。
【００１５】
第一ミュート部材１は、第一本体１０と、緩衝部材１１と、取手１２と、を有する。図５に示すように、第一本体１０と取手１２は着脱自在に構成されている。
【００１６】
第一本体１０は、円柱形状に形成されている。第一本体の底面１０ａは、シンバルの表面に接触させる面であるため、平面もしくは小さな曲率の曲面に形成されている。一方、第一本体の上面１０ｂは平面であっても曲面であってもよい。
これ以降に説明において、第一本体１０の底面１０ａに垂直な方向を「垂直方向」とし、第一本体１０の底面１０ａに水平な方向を「水平方向」とする。
【００１７】
第一本体１０の少なくとも一部には、磁性体で構成された第一磁性部を有する。第一本体１０は、後述する第二本体２０と磁力により結合する。第一本体１０と第二本体２０とが強い磁力で結合されるために、第一磁性部は磁石で構成されていることが好ましい。
【００１８】
第一本体１０の第一磁性部以外の部分は、金属や樹脂等で形成される。例えば、第一本体１０の表面が剛性の低い金属や樹脂で覆われ、その内部が第一磁性部で形成されていてもよい。第一本体１０は、柔らかい材質で形成された表面により持ちやすい。また、第一本体１０の表面が、模様を施しやすい材質で覆われ、その内部が第一磁性部で形成されていてもよい。第一本体１０は、その表面に模様を形成することで、外観意匠が向上される。
また、第一本体１０の第一磁性部以外の部分は、例えば、木材や布等で形成されていてもよい。金属以外の材質に特有の振動特性により、ミュート部材１００によるシンバルの音量や音色やサスティーンの調整にバリエーションを持たせることができる。
【００１９】
第一本体１０の底面１０ａは、後述する第二本体２０の底面２０ａと対向面をなして、磁力により結合する。そのため、第一本体１０の内部において底面１０ａに近い部分に第一磁性部が配置されることが好ましい。
【００２０】
なお、第一本体１０の全体が、第一磁性部のみで構成されていてもよい。第一本体１０の全体を第一磁性部で構成することで、第一本体１０と第二本体２０とがより強い磁力で結合される。
【００２１】
第一本体の上面１０ｂの中心部には、後述する取手１２の雄ねじ１２ｃと係合する雌ねじ１０ｃが垂直方向に形成されている。雌ねじ１０ｃは第一本体１０を貫通していない。
【００２２】
緩衝部材１１は、第一本体１０の底面１０ａの全体もしくは一部を覆うもので、シリコンやゴムなどの弾性体で形成されている。第一ミュート部材１と第二ミュート部材２とが磁力により結合する際や、磁力に逆らって引き離す際に、第一本体１０および第二本体２０が破損することを防ぐ。また、第一ミュート部材１と第二ミュート部材２とを磁力に逆らって引き離す際の初期段階において、第一ミュート部材１と第二ミュート部材２との間に隙間を生じさせやすくなり、第一ミュート部材１と第二ミュート部材２とを引き離しやすくなる。
【００２３】
取手１２は、図５に示すように、取手本体１２ａと、円環状のリング１２ｂと、雄ねじ１２ｃとを有する。取手本体１２ａには、リング１２ｂと雄ねじ１２ｃとが接続される。リング１２ｂを水平方向に回転させることで、雄ねじ１２ｃは長手方向（垂直方向）の中心軸を中心に回転し、雌ねじ１０ｃに沿って垂直方向に進退動作する。すなわち、リング１２ｂは、取手１２全体と第一本体１０とを着脱する際、雄ねじ１２ｃを回転させるためのハンドルとして機能する。
【００２４】
取手１２は、円環状のリング１２ｂを有しているため、二本の手指により掴みやすい形状となっている。そのため、第一本体１０に接続された取手１２は、第一ミュート部材１をシンバル表面に着脱する動作を容易にする。すなわち、取手１２は、第一ミュート部材１をシンバル表面に容易に着脱するためのハンドルとして機能する。
【００２５】
第二ミュート部材２は、第二本体２０と、緩衝部材２１と、取手２２と、を有する。第二ミュート部材２の第二本体２０と緩衝部材２１と取手２２は、第一ミュート部材１の第一本体１０と緩衝部材１１と取手１２と同一の形状を有する。
【００２６】
第二本体２０は、第一本体１０と同じ形状に形成されている。第二本体２０の少なくとも一部には、磁性体で構成された第二磁性部を有する。第二本体２０は、第一本体１０を磁力により結合する。第一本体１０と第二本体２０とが磁力で結合されるために、第一磁性部と第一磁性部との少なくとも一方は磁石で構成されている必要がある。
第二本体２０のその他の形状および機能は第一本体１０で同じであるため、説明を省略する。
【００２７】
緩衝部材２１の形状および機能は、第一ミュート部材１の緩衝部材１１と同じであるため、説明を省略する。
【００２８】
取手２２の形状および機能は、第一ミュート部材１の取手１２と同じであるため、説明を省略する。
【００２９】
このように構成された第一ミュート部材１と第二ミュート部材２とは、図１から図４に示すように、第一本体１０の底面１０ａと第二本体２０の底面２０ａとが対向面をなして、磁力により結合する。ミュート部材１００をシンバルに装着しない際は、図１から図４に示すように、第一ミュート部材１と第二ミュート部材２とを磁力により結合させておくことで、一方を紛失させてしまうことがなくなり、管理が容易になる。
【００３０】
図６は、シンバルに装着したミュート部材１００の構成を示している。第一ミュート部材１と第二ミュート部材２とは、シンバルの厚み方向の両側に配置され、磁力によって結合する。
【００３１】
第一本体１０の底面１０ａおよび第二本体２０の底面２０ａは、図６に示すように、シンバルに接触させる面である。シンバルは、曲率の小さいボウ部Ｂや曲率の大きいカップ部Ｃなど、様々な曲率の表面を有している。底面（１０ａ、２０ａ）が、曲率の異なるシンバル表面に接触可能とするためには、底面（１０ａ、２０ａ）の径寸法は大きすぎない方がよい。曲率半径の小さい曲面を有するシンバル表面には、小さい径寸法の底面（１０ａ、２０ａ）の方がシンバル表面と底面（１０ａ、２０ａ）との非接触部分が少なくなるため、底面（１０ａ、２０ａ）に安定して接触させることができる。例えば、底面（１０ａ、２０ａ）の直径寸法は１２ｍｍ程度であることが好ましい。
【００３２】
第一磁性部および第二磁性部は、シンバルの厚み方向の両側に第一ミュート部材１と第二ミュート部材２とを保持可能な磁力を有している。
【００３３】
第一磁性部もしくは第二磁性部の磁束密度を増加させることで、磁力による結合力は強くなる。磁力による結合力が強くなるにつれて、ミュート部材１００をシンバルに取り付けたときの音量やサスティーンの低減幅はより大きくなる。
ここで、磁力による結合力が強くなりすぎると、第一ミュート部材１と第二ミュート部材２とを磁力に逆らって引き離すことが難しくなる。
【００３４】
一方、第一磁性部もしくは第二磁性部の磁束密度を減少させることで、磁力による結合力は弱くなる。磁力による結合力が弱くなるにつれて、ミュート部材１００をシンバルに取り付けたときの音量やサスティーンの低減幅はより小さくなる。
ここで、磁力による結合力が弱くなりすぎると、シンバルの演奏中に第一ミュート部材１と第二ミュート部材２とが分離して落下する可能性が高くなる。
【００３５】
例えば、第一本体１０および第二本体２０の底面（１０ａ、２０ａ）の直径寸法が１２ｍｍで、第一本体１０および第二本体２０の高さが１０ｍｍ程度であって、第一磁性部と第二磁性部との両方が磁石で構成されているとする。この場合、それぞれの磁石の磁束密度が５００ミリテスラ程度であると、シンバルの厚み方向の両側からであっても、第一ミュート部材１と第二ミュート部材２とは好適に磁力によって結合し、演奏中であっても分離して落下しにくい。また、第一ミュート部材１と第二ミュート部材２とを磁力に逆らって引き離すことも容易である。
【００３６】
また、第一本体１０および第二本体２０の高さをより高くし、第一磁性部もしくは第二磁性部の体積を増やすことでも、磁力による結合力はより強くなる。
【００３７】
支持部材３は、布、紙、プラスチックフィルムなどの材質で構成された、シンバルの支柱Ｐからの距離を一定に保つ部材である。支持部材３は、薄いプラスチックフィルムの板厚方向から見て、略二等辺三角形に形成されている。略二等辺三角形形状の支持部材３の先端部３０に、取手１２の雄ねじ１２ｃが貫通可能なミュート部材固定部３０ｃが形成されている。また、略二等辺三角形形状の支持部材３の底辺部３１には、シンバルの支柱Ｐが貫通可能な穴であるシンバル支柱固定部３０ｄが複数形成されている。
【００３８】
図５に示すように、取手１２の雄ねじ１２ｃがミュート部材固定部３０ｃを貫通して、雌ねじ１０ｃと係合することで、第一ミュート部材１と支持部材３とは接続される。
また、図６に示すように、シンバルの支柱Ｐがシンバル支柱固定部３０ｄを貫通することで、シンバルの支柱Ｐと支持部材３が接続される。
これらの接続により、支持部材３は、第一ミュート部材１とシンバルの支柱Ｐとの距離を一定に保つことができる。また、第一ミュート部材１がシンバルから落下することを防止できる。
【００３９】
シンバル支柱固定部３０ｄは、図５に示すように、支持部材３に複数形成されている。そのため、シンバルの支柱Ｐが貫通するシンバル支柱固定部３０ｄを変更することで容易に第一ミュート部材１とシンバルの支柱Ｐとの距離を変更することができる。
ここで、第一ミュート部材１とシンバルの支柱Ｐとの距離を変更することによっても、音量や音色やサスティーンを容易に調整可能である。第一ミュート部材１とシンバルの支柱Ｐとの距離を長くするにつれて、音量の低減幅はより大きくなり、サスティーンはより短くなる。逆に第一ミュート部材１とシンバルの支柱Ｐとの距離を短くするにつれて、音量の低減幅はより小さくなり、サスティーンはより長くなる。
【００４０】
第二ミュート部材２とシンバルの支柱Ｐを、支持部材３により接続してもよい。支持部材３は、第二ミュート部材２とシンバルの支柱Ｐとの距離を一定に保つことができる。二つの支持部材３を用いて、一方が第一ミュート部材１とシンバルの支柱Ｐとを接続し、また、他方が第二ミュート部材２とシンバルの支柱Ｐとを接続してもよい。二つの支持部材３は、より確実に、ミュート部材１００とシンバルの支柱Ｐとの距離を一定に保つことができる。
【００４１】
次にミュート部材１００の使い方や動作について説明する。
第一ミュート部材１と第二ミュート部材２とが磁力によって結合している場合、使用者は、第一ミュート部材１の取手１２と第二ミュート部材２の取手２２とを別々の手で持ち、第一ミュート部材１と第二ミュート部材２とを磁力に逆らって引き離す。
次に、使用者は、シンバルの厚み方向の両側に第一ミュート部材１と第二ミュート部材２とを配置し、第一ミュート部材１と第二ミュート部材２とによりシンバルを挟み込み、両者を磁力によって結合させる。
【００４２】
図７および図８は、シンバルに装着したミュート部材１００の斜視図である。
使用者が第一ミュート部材１と第二ミュート部材２を装着したシンバルを演奏する際は、図７（ａ）および８（ａ）のように、支持部材３が第一ミュート部材１もしくは第二ミュート部材２に取り付けられていてもよい。上述したように、支持部材３は、第一ミュート部材１とシンバルの支柱Ｐとの距離を一定に保つ。また、第一ミュート部材１もしくは第二ミュート部材２がシンバルから落下することを防止できる。使用者は、シンバルの支柱Ｐを貫通させるシンバル支柱固定部３０ｄを変更することで、第一ミュート部材１もしくは第二ミュート部材２とシンバルの支柱Ｐとの距離を変更し、音量や音色やサスティーンを調整することができる。
【００４３】
一方、図７（ｂ）および図８（ｂ）のように、使用者は取手１２を取り外して演奏を行ってもよい。スティック等の打撃体が第一ミュート部材１に接触する確率を低減でき、使用者は演奏しやすくなる。
【００４４】
第一ミュート部材１もしくは第二ミュート部材２に支持部材３を取り付けないで、使用者がシンバルの演奏を行う場合、第一ミュート部材１および第二ミュート部材２は、シンバル表面のいずれの場所に装着されてもよい。エッジ部Ｅに近いボウ部Ｂに装着することで、音量の低減幅はより大きくなり、サスティーンはより短くなる。一方、カップ部Ｃに装着することで、音量の低減幅はより小さくなり、サスティーンはより長くなる。
【００４５】
上述したように、第一磁性部もしくは第二磁性部の磁束密度を変更することで、音量や音色やサスティーンを調整することができる。様々な磁束密度を有するミュート部材を複数種類用意しておき、それらを使い分けることで量や音色やサスティーンを容易に調整可能である。
【００４６】
また、ミュート部材の重さを変えることによっても、シンバルの音量や音色やサスティーンを調整可能である。様々な重さのミュート部材を複数種類用意しておき、それらを使い分けることで音量や音色やサスティーンを容易に調整可能である。
【００４７】
（第一実施形態の効果）
以上のように構成される本実施形態のミュート部材１００は、第一ミュート部材１と第二ミュート部材２とが磁力によって結合し、シンバルの形状やサイズによらず容易にシンバルに着脱できる。また、ミュート部材１００を装着する位置等を変えることで、音量や音色やサスティーンが調整可能である。また、ミュート部材１００は着脱可能な取手（１２、２２）を有しており、取扱いが容易である。また、取手（１２、２２）を演奏時に取り外すことで、使用者は演奏しやすくなる。さらに、ミュート部材１００は支持部材３を備えており、第一ミュート部材１または第二ミュート部材２とシンバルの支柱Ｐとの距離を、一定に保つことができる。また、第一ミュート部材１または第二ミュート部材２がシンバルから落下することを防止できる。
【００４８】
（変形例）
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および変形例において示した構成要素は適宜に組み合わせて構成することが可能である。
【００４９】
上記実施形態では、第一ミュート部材１の第一本体１０およびの第二ミュート部材２の本体２０形状を円柱形状としたが、第一本体１０および第二本体２０の形状はこれに限定されない。例えば、第一本体１０および第二本体２０の形状は多角柱形状であってよい。また、上面（１０ｂ、２０ｂ）よりも底面（１０ａ、２０ａ）の径寸法が大きいテーパ付きの円柱形状や多角柱形状であってもよい。テーパ付形状により、底面（１０ａ、２０ａ）は安定してシンバルに接触し、上面（１０ｂ、２０ｂ）は手指で掴みやすくなる。
【００５０】
上記実施形態では、第一ミュート部材１と第二ミュート部材２とは全く同じ形状であったたが、第一ミュート部材１と第二ミュート部材２の構成はこれに限定されない。例えば、第一本体１０と第二本体２０の高さは互いに異なっていてもよい。また、第一ミュート部材１と第二ミュート部材２の一方のみが取手を備えていてもよい。
【００５１】
また、図９に示すように、第一ミュート部材１の変形例である第一ミュート部材１Ａは、第一ミュート部材１の底面１０ａと比較して、径寸法が２倍程度の底面を有している。シンバル上面に第一ミュート部材１Ａを装着し、シンバル下面に第二ミュート部材２を一つもしくは二つ以上装着することができる。このような構成は、第二ミュート部材２の数を変えることで、音量や音色やサスティーンを調整可能である。
【００５２】
上記実施形態では、取手１２および取手２２は円環状のリングを有する形状であったが、取手の形状はこれに限定されない。例えば、円板形状であってもよい。二本の手指で掴みやすい形状であれば、取手は、ミュート部材１００をシンバル表面に容易に着脱するためのハンドルとして機能する。
【００５３】
上記実施形態では、第一本体１０と取手１２は、垂直方向に係合するネジにより形成されていたが、第一本体１０と取手１２の接続態様はこれに限定されない。例えば、接続態様はワンタッチで着脱可能なボルト等による接続でもよい。第一本体１０と取手１２とが着脱可能な接続態様であれば、使用者は、取手を取り外して演奏をすることができる。
【００５４】
上記実施形態では、支持部材３はプラスチックフィルムで形成されていたが、支持部材３の態様はこれに限定されない。例えば、支持部材はひもで構成されていてもよい。ひもで構成された支持部材も、ミュート部材とシンバル支持部材との距離を一定に保つことができる。また、ミュート部材がシンバルから落下することを防止できる。
【００５５】
また、支持部材３のシンバル支柱固定部３０ｄには、図１０に示すように、切り込み３０ｅが形成されていてもよい。使用者は、この切り込み３０ｅに沿ってシンバルの支柱Ｐを通すことで、支持部材３をシンバルの支柱Ｐに容易に引っかけることができ、ミュート部材１００とシンバルの支柱Ｐとの距離を容易に変更できる。
【００５６】
また、図１１に示すように、第一ミュート部材１の変形例である第一ミュート部材１Ｃは、第一本体１０と支持部材３とが一体となったものである。例えば、第一本体１０に隙間が形成され、その隙間に支持部材３の先端部３０が挿入され、先端部３０と第一本体１０とが接着剤により固定されていてもよい。また、第一本体１０が二つの磁石により構成され、二つの磁石が磁力により結合され、その磁石の間に支持部材３が挟み込まれていてもよい。第一ミュート部材１Ｃは、第一本体１０と支持部材３とが一体となっていることで、取扱いが容易となり、また、第一本体１０がシンバルから落下することを好適に防止できる。
なお、第一ミュート部材１Ｃには、取手１２が必ずしも取り付けられていなくてもよい。使用者は、取手１２の代わりに支持部材３を持って第一ミュート部材１Ｃをシンバルから取り外すことができるからである。
【００５７】
上記実施形態では、ミュート部材１００の取り付け対象はシンバルであったが、取り付け対象はシンバルに限定されない。取り付け対象は、ドラムの打撃膜(ヘッド)やカウベル等の薄い金属を振動させて音を発する楽器であってもよい。打撃膜や薄い金属の振動を抑えることで、音量等を調整可能な楽器であれば、使用者はミュート部材１００をその楽器に取り付けて使用できる。
【００５８】
（第二実施形態）
次に本発明の第二実施形態について、図１２を参照して説明する。なお、以降の説明において、すでに説明したものと共通する構成等については、同一の符号を付して重複する説明を省略する。
【００５９】
図１２は本実施形態に係るミュート部材２００の全体構成を示す図である。図１２に示すように、本実施形態に係るミュート部材２００は、第一ミュート部材１Ｂと、第二ミュート部材２Ｂと、回転軸４と、を備えている。ミュート部材２００は、クリップ状の形状である。
【００６０】
第一ミュート部材１Ｂおよび第二ミュート部材２Ｂは、長尺形状の部材であり、その先端部にそれぞれ、第一磁性部１０ｍと、第二磁性部２０ｍが形成されている。
第一ミュート部材１Ｂと第二ミュート部材２Ｂとは、それぞれの基端側において、回転軸４を中心に回動自在に接続されている。
【００６１】
図１２に示すように、第一磁性部１０ｍをシンバルの上面から、第二磁性部２０ｍをシンバルの下面から、シンバルの厚み方向から挟み込むことで、第一磁性部１０ｍと第二磁性部２０ｍとは磁力によって結合する。第一ミュート部材１Ｂと第二ミュート部材２Ｂとは、シンバルの厚み方向の両側に配置され、磁力によって結合する。
【００６２】
（第二実施形態の効果）
以上のように構成される本実施形態のミュート部材２００は、第一ミュート部材１Ｂと第二ミュート部材２Ｂとが磁力によって結合し、シンバルの形状やサイズによらず容易に着脱できる。また、ミュート部材２００を装着する位置を変えることで、音量や音色やサスティーンが調整可能である。
第一ミュート部材１Ｂと第二ミュート部材２Ｂとは分離不可能であり、ミュート部材１００による調整効果とは異なる調整効果を発揮することができる。
【００６３】
（変形例）
以上、本発明の第二実施形態について図面を参照して詳述したが、具体的な構成はこの実施形態に限られるものではなく、本発明の要旨を逸脱しない範囲の設計変更等も含まれる。また、上述の第二実施形態および変形例において示した構成要素は適宜に組み合わせて構成することが可能である。
【符号の説明】
【００６４】
１００，２００…ミュート部材、１，１Ａ，１Ｂ…第一ミュート部材、１０…第一本体、１０ａ…底面、１０ｂ…上面、１０ｍ…第一磁性部、１１…緩衝部材、１２…取手、１２ａ…取手本体、１２ｂ…リング、２，２Ｂ…第二ミュート部材、２０…第二本体、２０ａ…底面、２０ｍ…第二磁性部、２１…緩衝部材、２２…取手、３…支持部材、３０…先端部、３０ｃ…ミュート部材固定部、３０ｄ…シンバル支柱固定部、３１…底辺部、４…回転軸
【図１】
2018146737.tif 000003
【図２】
2018146737.tif 000004
【図３】
2018146737.tif 000005
【図４】
2018146737.tif 000006
【図５】
2018146737.tif 000007
【図６】
2018146737.tif 000008
【図７】
2018146737.tif 000009
【図８】
2018146737.tif 000010
【図９】
2018146737.tif 000011
【図１０】
2018146737.tif 000012
【図１１】
2018146737.tif 000013
【図１２】
2018146737.tif 000014